(57)【要約】【課題】　小型・薄型のピックアップにすることができるホログラムレーザ方式の半導体レーザ装置を提供する。【解決手段】　半導体レーザ素子２と、半導体レーザ素子２から出射され外部の光ディスク面により反射されて再び入射するレーザビームを検出する受光素子３とを含む素子群を搭載するための素子搭載領域が支持部材1の上面１ｃに形成されている。半導体レーザ素子２から光ディスク面に至るレーザビームの光路に、支持部材の素子搭載領域から略垂直上方へ進む垂直光路が含まれている。支持部材１の左右端部には側面１a、１ｂが形成されている。支持部材１の左右側面１a、１ｂには、円弧状内面を有する取付孔に嵌挿するための円弧状外面が形成されている。これらの円弧状外面の各曲面は垂直光路の延長線が中心軸となり、かつ、各曲面の曲率半径が互いに異なるように形成されている。【選択図】図１
2004146803.tif 000002
【特許請求の範囲】
【請求項１】
半導体レーザ素子と、この半導体レーザ素子から出射され外部の光ディスク面により反射されて再入射するレーザビームを検出する受光素子とを含む素子群を搭載するための素子搭載領域が支持部材の上面に形成されるとともに、支持部材の左右端部に少なくとも一対の側面が形成された半導体レーザ装置であって、
　半導体レーザ素子から光ディスク面に至るレーザビームの光路に、上面に対して略垂直な方向に進む垂直光路を含み、
　支持部材の左右側面に、または支持部材の左右端部近傍に形成される突起の側面に、円弧状の内面を有する取付孔に嵌挿するための一対の円弧状外面が形成され、
　一対の円弧状外面の各曲面は垂直光路またはその延長線が中心軸となり、かつ、各曲面の曲率半径が互いに異なるように形成されていることを特徴とする半導体レーザ装置。
【請求項２】
受光素子は左右いずれか一方の円弧状外面の側に偏って搭載され、受光素子が搭載されている側の円弧状外面の曲率が反対側の円弧状外面の曲率よりも大きいことを特徴とする請求項１に記載の半導体レーザ装置。
【請求項３】
支持部材には、円弧状外面が形成されている左右方向とは直角方向である前後方向の端部にさらに前後側面が形成され、これらの前後側面のいずれか片側に偏った位置に垂直光路が来ることを特徴とする請求項１に記載の半導体レーザ装置。
【請求項４】
素子搭載領域には反射体がさらに搭載され、半導体レーザ素子から支持部材の上面に対して平行にレーザビームが出射されるとともにレーザビームが反射体により反射されて垂直光路となるように構成されていることを特徴とする請求項１に記載の半導体レーザ装置。
【請求項５】
円弧状内面を有する取付孔がピックアップハウジングに形成され、この取付孔に請求項１〜４のいずれか１つに記載の半導体レーザ装置の円弧状外面が嵌挿状に取り付けられたことを特徴とするピックアップ。
【発明の詳細な説明】
【技術分野】
【０００１】
　本発明は、光ディスク等の光記録媒体に記録された情報を光学的に読み取るピックアップなどに用いられる半導体レーザ装置、およびそれを用いたピックアップに関する。
【背景技術】
【０００２】
　ＣＤ−ＲＯＭやＭＤ（ミニディスク）などの光ディスクの信号を読み取るピックアップには半導体レーザ装置が用いられるが、この半導体レーザ装置には、（１）ＣＡＮタイプを中心とした単体の半導体レーザと光学部品と信号検出素子とをディスクリートに組上げたタイプ、（２）回折格子と信号検出素子と半導体レーザ素子を一体化したホログラムレーザ方式と呼ばれるタイプのものがある。
【０００３】
　このうち（２）のホログラムレーザ方式の半導体レーザ装置は、半導体レーザ素子と光分岐素子としてのホログラム素子と受光素子とを一つのパッケージ（支持部材）に組み込んだ構造をなし、半導体レーザ素子から出射されたレーザビームを光記録媒体となる光ディスク面に導いて反射するようにし、光ディスク面から反射して戻ってきたレーザビームをホログラム素子により回折させた上で受光素子に導くようにしてある。
【０００４】
　図７は、従来からのホログラムレーザ方式の半導体レーザ装置の構成を示す概略図（図では内部構造が分かるように一部を破断して示している）である。この例の装置では支持部材として金属でできたステムを用いている。
　図において、７１は支持部材としてのステム、７２は半導体レーザ素子、７３は信号検出用受光素子、７４はキャップである。７７は光学素子としてのホログラム素子であり、７５、７６の回折格子パターンを有している。
【０００５】
　ステム７１の上面には水平や垂直の平面領域が形成されており、この平面領域が受光素子７３やレーザ素子７２の搭載面となる。また、ステム７１の左側面７１ａ、右側面７１ｂは円弧状に仕上げられており、この半導体レーザ装置をピックアップに取り付ける際、円弧状の左側面７１ａ、右側面７１ｂをピックアップハウジングに設けた円筒窓などの円弧状内面をもった基準となる部分（基準部分）に円弧同士が重なるように押し当てて垂直光路（素子搭載面である上面に対して垂直に進むレーザビームの光路）の位置出しを行う。
【０００６】
　さらに、基準となる（円弧状内面）部分に取り付けた状態で半導体レーザ装置を垂直光路の周りに±５°程度の範囲で回転させて、半導体レーザ装置から出射した３本のビームのスポットが光ディスク面のピット列に最適配置されるように調整を行う。
　なお、この図ではステム７１上に搭載された各素子の電極（端子）と外部接続用リード７８（ステム７１とは絶縁するようにして取り付けられている）とを電気的に接続するワイヤは、図示を省略している。
【０００７】
　また、図８は、出願人が本発明よりも先に開発し、先に出願した特願２００２-６６６０１号に記載したリードフレームタイプの半導体レーザ装置の構成を示す図であり、（ａ）は半導体レーザ装置の上面図、（ｂ）は正面図、（ｃ）は図８（ａ）からホログラム素子を取り外した状態の上面図である。
【０００８】
　図中、８０はパッケージ（支持部材）として機能する絶縁性枠体である。絶縁性枠体８０は、長手方向（これを左右方向とする）を有する方形の基台部８１と、基台部８１の周端に沿って上方に突き出るように形成される枠部９１とからなる。
　基台部８１の上面には、水平な平面部や水平に対して４５度の角度をなす平面部が形成されており、これらの平面部が受光素子８７、半導体レーザ素子８５、反射ミラー８６などの搭載面となる。枠部９１は、基台部８１と長手方向を共通にした略方形をしており、基台部８１よりやや小さめに形成されている。また、枠部９１のうちで長手方向（左右方向）側の外側面部分には円弧部９１ａ、９１ｂが形成されている。
【０００９】
　絶縁性枠体８０の基台部８１のうちで長手方向（左右方向）の両側面８１ａ、８１ｂには、枠部９１の内部から外部にかけて貫通するように複数のリード８２が形成されている。また、絶縁性枠体８０の上には、ホログラム素子８９が、絶縁性枠体８０の枠部９１の中央付近で支持されるようにして取り付けられている。
【００１０】
　枠部９１内部のアイランドプレート８３上には、サブマウント８４を介して半導体レーザ素子８５が搭載され、半導体レーザ素子８５のすぐ横には、半導体レーザ素子８５からの出射ビームを９０度方向（上方）へ反射する反射体８６（例えば反射ミラー）が搭載され、さらにこれらに隣接して受光素子８７が搭載されている。これらの各素子のうちで外部と電気的接続が必要な素子については、各素子側の電極とリード８２とがワイヤ８８により電気的に接続されている。
【００１１】
　この半導体レーザ装置では、ピックアップに取り付ける際に、パッケージ（支持部材）ではなく枠部９１に設けられた外側面の円弧部９１ａ、９１ｂをピックアップハウジングに設けた円弧面を持った基準部分に対して円弧同士が接するように押し当てて取り付け、垂直光路の位置出しを行う。
【００１２】
　なお、この種の半導体レーザ装置としては、例えば特許文献１に示されたようなものが知られている。
【特許文献１】特開平６−５９９０号公報
【発明の開示】
【発明が解決しようとする課題】
【００１３】
　半導体レーザ装置に関しては、ピックアップに取り付ける際に回転調整を実施する必要があるが、回転調整の際に垂直光路（上面（素子搭載面）に対して垂直方向に進むレーザビーム光路）の中心位置がずれないことが求められる。そのため、従来の半導体レーザ装置では、一対の円弧状の左右側面７１ａ、７１ｂ（図７）同士あるいは円弧部９１ａ、９１ｂ（図８）同士が点対称となるように形成した上で、これらの円弧曲面の中心が、パッケージ（支持部材）外形の中心に、すなわち、図７のタイプではステム７１の中心に、図８のタイプでは枠部９１の中心に来るように設計されてきた。
【００１４】
　しかしながら、近年、光ディスクドライブは薄型、小型化、低価格化の要求が厳しく、上述したようなホログラム方式の半導体レーザ装置においても、同様のことが求められている。
　それにもかかわらず、半導体レーザ装置のパッケージ外形の中心にレーザビームの垂直光路を持って来る構造では、垂直光路に対してパッケージを左右対称にするために生じる部品の非搭載領域の占有率が大きくなり、パッケージ面積が大きくなってしまう。
【００１５】
　この状態は、図８（ｃ）によく示されている。すなわち、パッケージの中央付近、より具体的には左右対称に形成された円弧状の枠部９１ａ、９１ｂの円弧の中心となる位置に反射ミラー８６の鏡面が来るとともに、基台部８１上面に対して鏡面が４５度の角度をなすように配置されており、半導体レーザ８５から出射されたレーザビームが反射ミラー８６により垂直上方に反射したときの垂直光路が円弧の中心位置となるように構成されている。そして、この図のレイアウトの場合、受光素子８７は反射ミラー８６の右側に配置されている。一方、反射ミラー８６の左側は素子が搭載されておらず空間が余っている。
【００１６】
　パッケージ（支持部材）の面積が大きくなれば、その分、必要な金属材料や樹脂材料も増えてしまい、同時にコストも増大してしまう。特にホログラム素子は高価であるため、コストを抑えるためにはできるだけ小さい方が望ましいが、パッケージが大きくなった分、本来不必要な周辺部分が余分に必要になり、コストアップしてしまう。
　そのため、パッケージ面積をできるだけ小さくするようにした上で必要な素子を配置し、しかも、ワイヤ配線するために必要な空間を確保する必要がある。
【００１７】
　本発明は、このような実情に鑑みなされたものであり、その課題は、半導体レーザ装置を小型化、コンパクト化するとともに、製造コストを抑え、さらに組立調整が容易な半導体レーザ装置およびそれを用いたピックアップを提供することである。
【課題を解決するための手段】
【００１８】
　本発明の１つの観点によれば、半導体レーザ素子と、この半導体レーザ素子から出射され外部の光ディスク面により反射されて再入射するレーザビームを検出する受光素子とを含む素子群を搭載するための素子搭載領域が支持部材の上面に形成されるとともに、支持部材の左右端部に少なくとも一対の側面が形成された半導体レーザ装置であって、半導体レーザ素子から光ディスク面に至るレーザビームの光路に、上面に対して略垂直な方向に進む垂直光路を含み、支持部材の左右側面に、または支持部材の左右端部近傍に形成される突起の側面に、円弧状の内面を有する取付孔に嵌挿するための一対の円弧状外面が形成され、一対の円弧状外面の各曲面は垂直光路またはその延長線が中心軸となり、かつ、各曲面の曲率半径が互いに異なるように形成されていることを特徴とする半導体レーザ装置が提供される。
【００１９】
　この半導体レーザ装置によれば、半導体レーザ素子や受光素子を含む素子が搭載される素子搭載領域が支持部材の上面に形成されている。そして、素子搭載領域に搭載された半導体レーザ素子からのレーザビームの少なくとも一部の光路は上面に対して略垂直上方に向いて進む垂直光路となる。また、支持部材の側面あるいは支持部材の端部近傍に形成される突起の側面に形成される一対の円弧状外面の円弧部分は、垂直光路を中心軸とし、さらに、円弧の各曲面の曲率半径が異なるように形成されている。したがって、曲率半径の大きい側に搭載すべき素子を配置するようにし、曲率半径の小さい側には素子を配置しないようにすれば、従来のものに比べて素子搭載領域を狭くすることができるので、よりコンパクトな半導体レーザ装置にすることができる。
　ここで、受光素子の搭載されている側の円弧状外面の曲率が反対側の円弧状外面の曲率よりも大きいことが、より好ましい。
【００２０】
　また、支持部材には、円弧状外面が形成されている左右方向とは直角方向である前後方向の端部にさらに前後側面が形成され、これらの前後側面のいずれか片側に偏った位置に垂直光路が来るように構成するのが好ましい。このように構成されている場合には、支持部材を左右方向のみならず前後方向についてもコンパクトにすることができる。
【００２１】
　この半導体レーザ装置は、素子搭載領域に反射体がさらに搭載され、半導体レーザ素子から支持部材の上面に対して平行にレーザビームが出射されるとともにレーザビームが反射体により反射されて垂直光路となるように構成してもよい。このように構成されている場合には、半導体レーザ素子からレーザビームを水平方向に出射させることができ、半導体レーザ素子の取り付けの自由度をさらに確保することができる。
【００２２】
　本発明の他の観点によれば、円弧状内面を有する取付孔がピックアップハウジングに形成され、この取付孔に、本発明の１つの観点による半導体レーザ装置の円弧状外面が嵌挿状に取り付けられたことを特徴とするピックアップが提供される。このピックアップによれば、コンパクトに形成された半導体レーザ装置を取り付けたピックアップにすることができるので、ピックアップ自体をコンパクトにすることができる。
【発明の効果】
【００２３】
　本発明によれば、半導体レーザ装置のパッケージ（支持部材）の外形寸法を小型化することができ、小型・薄型のピックアップ、ＣＤドライブ、ＣＤプレイヤーを作ることができる。さらには、ピックアップ生産における組込時の光軸調整、３ビームの回転調整も容易に行うことができる。
【発明を実施するための最良の形態】
【００２４】
　以下、本発明を実施するための最良の形態について、図面を用いて説明する。
【実施例１】
【００２５】
　図１は本発明の一実施例である、ステムを支持部材とする半導体レーザ装置の概略構成を示す図であり、図１（ａ）はその上面図および正面図である。なお、比較のために、従来における同等品の上面図および正面図を図１（ｂ）に合わせて示す。図１においては、便宜上、キャップおよびホログラム素子を取り外した状態で説明するが、これらを取り付けた状態は図７と同様である。
【００２６】
　図１において、１は支持部材としてのステム、２は半導体レーザ素子、３は信号検出用受光素子、４は外部接続用のリード、５は素子２・３とリード４とを接続するワイヤである。ステム１は板状の支持部材として機能する。ステム１の外形は右側面１aおよび左側面１ｂが円弧状に、上面（平面）１ｃおよび下面（底面）１ｄが互いに平行な平面に、前側面（正面）１ｅおよび後側面（背面）１ｆが互いに平行な平面に、それぞれ仕上げてある。
【００２７】
　半導体レーザ素子２は、レーザビームが上面１ｃに対して垂直上方に出射するように向けられている。ここで、上面１ｃに対して垂直に進む光路部分を垂直光路と呼ぶ。
【００２８】
　半導体レーザ素子２および受光素子３は、ヒートシンクとして機能する金属性ブロックに取り付けられている。
【００２９】
　そして、右側面１aと左側面１bの関係は、それぞれの曲面の曲率半径をＲａ、Ｒｂとすると、Ｒａ＞Ｒｂとなるようにしてある。また、右側面１aと左側面１bの各曲面の中心軸はいずれも、半導体レーザ素子２の垂直光路に一致するようにしてある。このような構成により、上面１ｃにおいて垂直光路（この例では半導体レーザ２のビーム出射口の位置と一致する）を通る、前側面１ｅおよび後側面１ｆに対して垂直なＹ−Ｙ’断面を中心として、同断面よりも右側の上面面積をより広くして受光素子３が搭載できるようにするとともに、同断面よりも左側の上面面積をより狭くして不要な素子搭載領域を少なくすることで、半導体レーザ装置を小型化してコンパクトにすることができる。
【００３０】
　図１（ｂ）は、比較のための従来例であり、右側面１ａと左側面１ｂの曲率半径の関係をＲａ＝Ｒｂとしたものである。この場合は、Ｙ−Ｙ’断面よりも左側に、より大きい素子搭載領域ができている。
【実施例２】
【００３１】
　図２は本発明の他の一実施例である半導体レーザ装置の構成を示す図である。図２は、コンパクト化をさらに進めるために、垂直光路の位置を極端に左側に偏らせて、右側面１ａと左側面１ｂの曲率半径の関係をＲａ＞＞Ｒｂとしたときの上面図および正面図である。
【００３２】
　この場合は、実施例１の場合に比べていっそう多くのリード４を、半導体レーザ素子２から出射するレーザビームの垂直光路よりも右方向へ寄せ、かつ、リード４間のピッチをより狭くしている。これにより、左側の素子搭載領域をさらに削減している。
【実施例３】
【００３３】
　図３は本発明のさらに他の一実施例である半導体レーザ装置の構成を示す図である。この例では、半導体レーザ素子２は、レーザビームが上面１ｃに対して水平方向に出射されるように取り付けている。そして、上面１ｃに対して４５度の角度をなすように取り付けられた反射ミラー６（反射体）によりレーザビームを上方へ反射させ、上面１ｃに対して垂直に取り出す。すなわち、反射ミラー６により反射された後のレーザビームが垂直光路となるようにしている。
【００３４】
　また、実施例２の場合と同様に、右側面１aと左側面１ｂの曲率半径の関係をＲａ＞＞Ｒｂとなるようにする。さらに、垂直光路を通る、前側面１ｅおよび後側面１ｆに対して平行であるＸ−Ｘ’断面を中心として、上面１ｃにおいてこれよりも前側の幅（Ｌｄ）をより広くして半導体レーザ素子２が前側に偏るように搭載するとともに、Ｘ−Ｘ’断面よりも後側の幅（Ｌｃ）をより狭くして不要な素子搭載領域を少なくし、Ｌｃ＜Ｌｄとなるようにしている。このように構成することで、左右方向および前後方向の双方の不要素子搭載領域をより狭くして、半導体レーザ装置をいっそう小型化してよりコンパクトにすることができる。
【実施例４】
【００３５】
　図４および図５は、本発明の別の一実施例であるリードフレームタイプの半導体レーザ装置の構成を示す図である。すなわち、図４（ａ）はその上面図、図４（ａ’）は図４（ａ）からホログラム素子を取り除いた状態の上面図、図４（ｂ）は正面図、図４（ｂ’）は左側面図、図４（ｃ）は図４（ａ）からホログラム素子を取り除いた状態の斜視図である。また、図５（ａ）は図４（ａ’）の装置の寸法関係を説明する図である。なお、図５（ｂ）は比較のための従来例を説明する図である。
【００３６】
　図４において、１１は絶縁性枠体であり、パッケージ（支持部材）の本体部分を形成する。絶縁性枠体１１は、光学部品を搭載するために高い寸法精度の要求される部分があるため、成形性のよい樹脂材料が用いられている。また、製品の配線工程で半田付けを行うことから高い耐熱性も要求されるため、例えば、熱可塑性樹脂のＰＰＳや液晶ポリマー、あるいは熱硬化性樹脂のエポキシ等の絶縁材料が好ましく用いられている。
【００３７】
　絶縁性枠体１１は、中央に平面領域を有する長方形の基台部２２と、基台部２２の長手方向（左右方向）の両端近傍において上方に突き出るように形成された一対の第1突起部１１ａ、１１ｂと、基台部２２の長辺（前後の辺）に沿って上方に突き出るように形成された複数の第２突起部１１ｃ、１１ｄ、１１ｅ、１１ｆとから構成されている。
【００３８】
　基台部２２における平面領域の長手方向（左右方向）の両端部分（すなわち第1突起部１１ａ、１１ｂが形成されている部分）には、複数のリード電極１２が設けられた領域がそれぞれ形成されている。また、長手方向（左右方向）の両側のリード電極１２が設けられた領域に挟まれて素子を搭載するためのアイランドプレート１３領域が形成されている。
【００３９】
　アイランドプレート１３には、サブマウント１４を介して半導体レーザ素子１５が搭載され、また、半導体レーザ素子１５から水平に出射されたレーザ光を９０度曲げて垂直上方に進行させるための反射体１６（たとえば、ガラスに多層膜をコーティングして特定の波長のみを反射するようにしたものや、ガラスにアルミニウムをコーティングした鏡など）も搭載されている。さらに、反射体１６の右側には、光ディスクからの信号光を受光する受光素子１７（例えば、分割フォトダイオードや、分割フォトダイオードにアンプ回路を一体化したＯＥＩＣ）が隣接するように搭載されている。
【００４０】
　これらの素子配置により、半導体レーザ素子１５から基台部２２の平面に沿って水平方向に出射した光は、反射体１６により９０度光軸が曲げられた後に、図４（ａ）、（ｂ）、（ｂ’）に描かれているホログラム素子１９を透過して外部に出射される。このとき、基台部２２の上面に対して垂直方向へ進む光路が垂直光路となる。
【００４１】
　リード（電極）１２は、絶縁性枠体１１の内側に搭載され、外部との電気的接続が必要な半導体レーザ素子１５や受光素子１７にワイヤ１８でボンディング接続される。また、リード（電極）１２は、第1突起部１１ａ、１１ｂを貫通するようにして、あるいは第1突起部１１ａ、１１ｂの下側を貫通するようにして、絶縁性枠体１１の外側に引き出され、絶縁性枠体１１の下方向に向けて折り曲げられている。
【００４２】
　第１突起部１１ａ、１１ｂの外側面は、光軸（垂直光路）を中心軸とする円弧から形成されている。一方、ピックアップの筐体となるピックアップハウジングには、この第1突起部１１ａ、１１ｂの円弧に対応する円弧状の半導体レーザ装置用切り欠き部分が形成されている。そして、このピックアップハウジングと半導体レーザ装置とを切り欠き部分の円弧と第１突起部１１ａ、１１ｂの円弧とが合致するように嵌挿することで、ピックアップへの半導体レーザ装置取り付けの際の光軸出しが容易となる。
【００４３】
　また、第２突起部１１ｃ、１１ｄ、１１ｅ、１１ｆは、絶縁性枠体１の略中央付近の長辺に沿って、互いに光軸（垂直光路）を中心として軸対称に配置されており、かつ、その上にホログラム素子１９が搭載されるようにしてある。
【００４４】
　この実施例の装置では、ホログラム素子１９を搭載する第２突起部１１ｃ〜１１ｆと、ピックアップへの取付時の位置合わせ用第1突起部１１ａ、１１ｂとが分離独立しているので、取り付けの際の反作用で第1突起部１１ａ、１１ｂが外力を受けて歪んでも、ホログラム素子搭載用の第２突起部１１ｃ〜１１ｆには影響がなく、したがって、ホログラム素子１９が動くおそれがなく、電気的・光学的特性が安定するようになっている。
【００４５】
　なお、図４において、第１突起部１１ａ、１１ｂと第２突起部１１ｃ〜１１ｆとは同じ高さに構成してあるが、それぞれは互いに独立しているため、必ずしも同じ高さにする必要はない。例えば、第１突起部１１ａ、１１ｂはピックアップへの組立設計に合わせた取り付け易い高さにし、第２突起部１１ｃ〜１１ｆはホログラムレーザの光学設計に合わせた高さにすることにより、取り付けが容易でしかも最適な光学系を有するようにすることもできる。
【００４６】
　また、第２突起部１１ｃ〜１１ｆの位置をなるべく近づけるように配置することで、これらの上に搭載するホログラム素子１９の大きさをより小型化することができ、ホログラム素子１９の材料の節約および材料費のコストダウンが可能になる。
【００４７】
　また、図４（ｂ）に示すように、第１突起部１１ａ、１１ｂの内側面の形状は、絶縁性枠体１１の基台部２２平面に対して垂直ではなく、傾斜状にされている。これは、第1突起部１１ａ、１１ｂの根元近傍にある絶縁性枠体１１内部側のリード電極２へワイヤボンディングを行う際、ワイヤボンディング装置のキャピラリが第1突起部１１ａ、１１ｂと干渉するのを避けるうえで、第1突起部１１ａ、１１ｂをキャピラリの先端形状に合わせてテーパー形状にしたためである。これにより、第1突起部１１ａ、１１ｂの根元ぎりぎりまでワイヤボンディングをすることができるので、絶縁性枠体１１内部のリード電極１２の長さを短くでき、これによりパッケージ自体も小型化することができる。
【００４８】
　なお、第1突起部１１ａ、１１ｂの先端部分は細くなるが根元部分は太いので、ピックアップへの取り付け時に第1突起部１１ａ、１１ｂで外力を受け止める特性が損なわれることはない。
【００４９】
　次に、絶縁性枠体１１に形成されている第1突起部１１ａ、１１ｂにおける円弧状外側面の曲率半径について、図５（ａ）・（ｂ）を用いて説明する。
【００５０】
　図５（ａ）は、図４で説明した半導体レーザ装置の上面図における寸法関係を説明する図である。左右２つの突起部１１ａ、１１ｂにおけるそれぞれの光軸（垂直光路）を中心とした円弧部分の曲率半径は異なり、Ｒｂ＜Ｒａとなっている。一方、図５（ｂ）は、比較例としての半導体レーザ装置の上面図であり、光軸（垂直光路）を中心とした第1突起部１１ａ、１１ｂにおけるそれぞれの円弧部分の曲率半径が、両側ともＲａで等しいときのものである。これらの図に示すように、本発明の半導体レーザ装置である図５（ａ）の方が、比較例である図５（ｂ）に比べ、左右方向の寸法がＲａ−Ｒｂだけ小型化されている。
【００５１】
　なお、前記曲率半径を小さくした側（Ｒｂ側）は、信号受光素子１７が搭載された側と反対側となるようにしてあり、このＲｂ側の絶縁性枠体１１の内部は、図５（ｂ）のＡで示すリードの露出部分のみの無駄なスペースである。そのため、この部分を縮小しても素子搭載やワイヤ配線には全く影響しない。
【実施例５】
【００５２】
　次に、図６により、本発明の半導体レーザ装置を用いたピックアップのハウジング構造の概略を説明する。図６（ａ）は半導体レーザ装置を組み込んだピックアップの概要を説明する図である。半導体レーザ装置１００はピックアップハウジング５０に取り付けられている。半導体レーザ装置１００から出射したレーザビーム（垂直光路）はコリメートレンズ１０１で平行光とされた後、反射ミラー１０２で光軸を９０度曲げられ、対物レンズ１０３で集光されて光ディスク１０４上にスポットを落とす。
【００５３】
　半導体レーザ装置１００をピックアップのピックアップハウジング５０に組み込む様子を、図６（ｂ）（ｃ）（ｄ）により説明する。図６（ｂ）は組み込み前におけるピックアップハウジング５０の斜視図である。ピックアップハウジング５０には、半導体レーザ装置１００を取り付けるための取付孔５２が設けられている。図６（ｃ）、（ｄ）は、取付孔５２と半導体レーザ装置１００との関係を示す概要図であり、取付孔５２と半導体レーザ装置１００とを、２つの円弧と２つの直線とからなる形状で表している。
【００５４】
　図６（ｃ）は従来の半導体レーザ装置の取り付け状態を示したもので、半導体レーザ装置１００も取付孔５２も左右の円弧は同一の曲率半径Ｒａを持っている。一方、図６（ｄ）は本発明の半導体レーザ装置の取り付け状態を示したものであり、半導体レーザ装置１００の左右の円弧は曲率半径が異なり、それに合致するように取付孔５２における一対の円弧も曲率半径を変えている。これにより、ピックアップハウジング５０の幅も円弧が小さくなった分だけ小型化されている。
【００５５】
　また、取付孔５２の円弧の曲率半径と対応する半導体レーザ装置１００の突起部１１ａ、１１ｂの円弧の曲率半径とが同じであるので、ピックアップへの取り付け時に半導体レーザ装置１００が光軸（垂直光路）を中心にして滑らかに回転し、従来品と同様に３ビームの回転調整が容易に行える。
【図面の簡単な説明】
【００５６】
【図１】本発明の実施例１に係る半導体レーザ装置の構成を示す図である。
【図２】本発明の実施例２に係る半導体レーザ装置の構成を示す図である。
【図３】本発明の実施例３に係る半導体レーザ装置の構成を示す図である。
【図４】本発明の実施例４に係る半導体レーザ装置の構成を示す図である。
【図５】図４の半導体レーザ装置の寸法関係を説明する図である。
【図６】本発明の半導体レーザ装置を用いたピックアップの説明図である。（実施例５）
【図７】従来における１つの半導体レーザ装置の概略構成を示す図である。
【図８】従来における別の半導体レーザ装置の概略構成を示す図である。
【符号の説明】
【００５７】
　　　　１：ステム（支持部材）
　　　１ａ：右側面（円弧形状面）
　　　１ｂ：左側面（円弧形状面）
　　　　２：半導体レーザ素子
　　　　３：受光素子
　　　　４：リード
　　　　５：ワイヤ
　　　　６：反射体
　　　１１：絶縁性枠体（支持部材）
　　１１ａ：第１突起部（円弧状外面）
　　１１ｂ：第１突起部（円弧状外面）
　　　１２：リード電極
　　　１５：半導体レーザ素子
　　　１６：反射体
　　　１７：受光素子
　　　１８：ワイヤ
　　　１９：ホログラム素子
　　　２２：基台部
　　　５０：ピックアップハウジング
　　　５２：取付孔
　　１００：半導体レーザ装置
　　１０４：光ディスク
【図１】
2004146803.tif 000003
【図２】
2004146803.tif 000004
【図３】
2004146803.tif 000005
【図４】
2004146803.tif 000006
【図５】
2004146803.tif 000007
【図６】
2004146803.tif 000008
【図７】
2004146803.tif 000009
【図８】
2004146803.tif 000010